(57)【特許請求の範囲】
【請求項１】
コンパクトディスクでなる再生側記録媒体からの再生信号を記録側記録媒体に記録するカーオーディオの記録装置であって、
バッテリラインと、車がキーオンの状態か否かを示すアクセサリラインとが接続された電源手段と、
上記電源手段への上記バッテリライン及び上記アクセサリラインを監視するライン監視手段と、
上記記録装置を停止させる電源ボタンと、
上記再生側記録媒体からデータを記録するのに要する時間を表す総記録時間情報を読み込む総時間設定手段と、
上記再生側記録媒体からデータを読み取って上記記録側記録媒体に記録している状態において、電源がオフになったとき、上記データのうち未記録の部分を記録するのに要する記録残り時間を算出する記録残り時間算出手段と、
上記電源がオフになったとき、記録に必要とされない装置部分の電力供給を停止するとともに、記録に必要な装置部分への電力供給を継続させる電力供給継続手段と、
上記記録残り時間の経過後に、上記電力供給継続手段による電力供給を停止させる電力供給停止手段と
を具え、
上記ライン監視手段が上記アクセサリラインを監視することにより車のキーオフを検出したとき残りデータの記録を継続するようにし、上記電源ボタンがオフ操作されたときデータ記録継続することなくすべての動作を停止する
ことを特徴とする記録装置。
【請求項２】
上記再生側記録媒体から読み取ったデータを上記記録側記録媒体にダビングするダビング手段
を具えることを特徴とする請求項１に記載の記録装置。
【請求項３】
上記バッテリが車のバッテリであり、上記バッテリ監視手段によって監視される当該バッテリの容量がエンジン停止状態での記録継続に耐えられない状態であるときは、上記継続された電源の供給を停止するようにした
ことを特徴とする請求項１に記載の記録装置。
【発明の詳細な説明】
【０００１】
【発明の属する技術分野】
本発明は、記録装置に関し、特に、光磁気ディスクや磁気テープ等の記録媒体に対してデータの記録を行う記録装置に関するものである。
【０００２】
【従来の技術】
例えば、画像や音声等を記録・再生することのできる記録媒体として、画像や音声データをデジタル信号として記録する光ディスク、光磁気ディスク、或いは磁気テープ等の記録媒体が広く用いられており、これに対応して記録装置、再生装置が開発されている。
【０００３】
特に近年、光磁気ディスクとして、再生だけでなくユーザが音声データ等を記録することができるミニディスク（ＭＤ）等も知られており、このミニディスク（ＭＤ）システムをカーオーディオとして使用するものが出てきた。即ち、このカーオーディオによって、ドライバが車の運転中に、ＣＤ等から音声データを再生したり、また更には、ＣＤの音声データをＭＤへ記録するといったようなことができるようになっている。
【０００４】
このようなＭＤシステム（カーオーディオ）においては、システムへの電源は走行中（エンジン稼働中）の車のバッテリから供給されている。ここで、システムの電源部に供給される電源としては、常に電源を供給するＢＡＴＴ（バッテリ）ラインと、車のキーがオン状態であるかどうかを示すＡＣＣ（アクセサリ）ラインとがある。
【０００５】
記録中のＭＤシステムの停止動作における手順としては、ＡＣＣラインからの電源がオフになった場合、（ｉ）その時点で直ちにシステム全体が停止（パワー・オフ）となるか、又は、（ｉｉ）記録動作を中止し、記録媒体（ＭＤ）に管理情報を書き込む等の後処理を行った後に、システム全体が停止するかであった。
【０００６】
【発明が解決しようとする課題】
しかしながら、従来のカーオーディオにおいては、例えば、６０分の音声データが記録されているＣＤからこの音声データをＭＤへ記録している状態で、記録開始から５０分で目的地へ到着してしまいあと１０分の記録時間を要する場合には、ドライバは、そのまま記録が終了するまで車の電源を入れたまま（キーをＡＣＣに位置にしたまま）にするか、または、残りの記録をあきらて電源を切るしかなかった。
【０００７】
特に、ドライバの時間的な制約（他人との約束等によって車を離れなければならない事情等）がある場合や車へのガソリンの給油時には、車のエンジンを停止して記録を途中であきらめるしかなかった。
【０００８】
そこで、本発明の目的は、装置の電源がオフにされても、記録動作のみは実行を続けることができる記録装置を提供することである。
【０００９】
また、本発明の他の目的は、電源監視を行い、電源量に問題のない場合にのみ、装置の電源がオフにされても、記録動作の実行を続けることができる記録装置を提供することである。
【００１０】
【課題を解決するための手段】
本発明の記録装置は、電源ボタンをオフ操作することによりすべての動作を停止させ、かつ再生側記録媒体からデータを記録するのに要する時間を表する総記録時間情報を読み込んで、記録中に電源がオフになったとき未記録の部分を記録するのに要する記録残り時間を算出し、当該記録残り時間が経過するまでの間、記録に必要とされない装置部分の電力供給を停止するとともに、記録に必要な装置部分への電力供給を継続させるように構成されている。
【００１１】
【発明の実施の形態】
以下、図１及び２により本発明の記録装置の実施の一形態例としてカーオーディオとしてのミニディスク記録再生装置をあげ、これについて説明する。
【００１２】
図１は実施の一形態例となるカーオーディオの要部のブロック図である。１はミニディスクシステムの記録媒体として、例えば複数の音声データを記録することができるミニディスク（ＭＤ）を示し、２はコンパクトディスクシステムの記録媒体として、例えば複数の音声データが記録されているコンパクトディスク（ＣＤ）を示す。
【００１３】
ディスク１及び２は、記録再生装置３０内でスピンドルモータ（図示せず）により回転駆動されるようにローディングされている。６はディスク１に対して記録／再生時にレーザ光を照射するＭＤ用ピックアップであり、光磁気ディスクに対して記録時には記録トラックをキュリー温度まで加熱するための高レベルのレーザ出力をなし、また再生時には磁気カー効果により反射光からデータを検出するための比較的低レベルのレーザ出力をなす。
【００１４】
ディスク２はデータをピット形態で記録している光ディスクであり、ＣＤ用ピックアップ３はピットの有無による反射光レベルの変化に応じて再生ＲＦ信号を取り出すものである。
【００１５】
このようにディスク１及び２からのデータ読出動作を行なうため、ピックアップ３及び６はレーザ出力手段としてのレーザダイオードや、偏向ビームスプリッタや対物レンズ等からなる光学系、及び反射光を検出するためのディテクタが搭載されている。対物レンズは２軸機構（図示せず）によってディスク半径方向及びディスクに接離する方向に変位可能に保持されており、また、ピックアップ３及び６の全体はスレッド機構によりディスク半径方向に移動可能とされている。また、ＭＤ用ピックアップ６は供給されたデータによって変調された磁界を光磁気ディスクに印加する磁気ヘッドを有している。
【００１６】
再生動作によって、ＣＤ用ピックアップ３によりディスク２から検出された情報はＣＤ用信号処理部８に供給される。ＣＤ用信号処理部８は、ＲＦアンプ回路、エンコーダ／デコーダ回路、及びサーボ回路等を有する。ＣＤ用信号処理部８内のＲＦアンプ回路は、供給された情報の演算処理により、再生ＲＦ信号、トラッキングエラー信号、フォーカスエラー信号、絶対位置情報（ディスク１にプリグルーブ（ウォブリンググルーブ）として記録されている絶対位置情報）、アドレス情報、サブコード情報、フォーカスモニタ信号等を抽出する。そして、抽出された再生ＲＦ信号はエンコーダ／デコーダ回路に、トラッキングエラー信号及びフォーカスエラー信号はサーボ回路に供給される。さらにフォーカスモニタ信号は、例えばマイクロコンピュータによって構成されるシステムコントローラ１１に供給される。
【００１７】
サーボ回路は供給されたトラッキングエラー信号、フォーカスエラー信号や、システムコントローラ１１からのトラックジャンプ指令、シーク指令、回転速度検出情報等により各種サーボ駆動信号を発生させ、２軸機構及びスレッド機構を制御してフォーカス及びトラッキング制御をなし、またスピンドルモータを一定角速度（ＣＡＶ）又は一定線速度（ＣＬＶ）に制御する。
【００１８】
再生ＲＦ信号はエンコーダ／デコーダ回路でＥＦＭ(Eight to Fourteen Modulation)復調、ＣＩＲＣ(Cross Interleave Read-Solomon Code)等のデコード処理され、一旦ＲＡＭ（図示せず）に書き込まれる。ＲＡＭに書き込まれたデータは、一定の転送速度で読み出され、音声圧縮処理に対するデコード処理等の再生信号処理を施されて、ＭＤ用信号処理部７を通過してＤ／Ａコンバータ１５に供給される。Ｄ／Ａコンバータ１５によってアナログ信号とされたデータは、Ｄ／Ａコンバータ１５とＦＭ／ＡＭチューナー部９との入力を切替える切替スイッチ１０を介して音声信号増幅部５へ供給されて、例えばＬ，Ｒオーディオ音声として、スピーカ４から再生出力される。
【００１９】
上記において、ＣＤでの音声データの読取り再生を説明したが、ＭＤにおける読取り再生も同様の手順で行われる。即ち、ディスク１上のデータを、ＭＤ用ピックアップで読取り、ＭＤ用信号処理部７でＣＤと同様の信号処理を行なった後、Ｄ／Ａコンバータ１５、切替スイッチ１０、及び音声信号増幅部５を介してスピーカ４から再生出力する。
【００２０】
ＦＭ／ＡＭチューナー部９からの音声データを再生する場合には、ＦＭ／ＡＭチューナー部９で受信された音声データが、切替スイッチ１０を介して直接音声信号増幅部５へ送られ、スピーカ４から出力される。
【００２１】
次に、ディスク（ＭＤ）１に対する記録動作について説明する。先ずＦＭ／ＡＭチューナー部９からのディスク１に対する記録においては、ＦＭ／ＡＭチューナー部９から供給された記録信号（アナログオーディオ信号）は、Ａ／Ｄコンバータ１８によってデジタルデータとされた後、ＭＤ用信号処理部７に送られる。ＭＤ用信号処理部７内のエンコーダ／デコーダ回路に供給されたデータは、音声圧縮エンコード処理を施される。エンコーダ／デコーダ回路によって圧縮された記録データは一旦ＲＡＭ１３に書き込まれる。
【００２２】
次に、記録データがＲＡＭ１３から所定タイミングで読み出されてエンコーダ／デコーダ回路に送られる。そしてエンコーダ／デコーダ回路でＣＩＲＣエンコード、ＥＦＭ変調等のエンコード処理された後ＭＤ用ピックアップの磁気ヘッド駆動回路（図示せず）に供給される。
【００２３】
磁気ヘッド駆動回路はエンコード処理された記録データに応じて、磁気ヘッドに磁気ヘッド駆動信号を供給する。つまり、ディスク１に対して磁気ヘッドによるＮ又はＳの磁界印加を実行させる。また、このときシステムコントローラ１１はＭＤ用ピックアップ３に対して、記録レベルのレーザ光を出力するように制御信号を供給する。
【００２４】
次に、ディスク（ＣＤ）２からディスク（ＭＤ）１への記録動作について説明する。ディスク２に記録されているデータは上述の手順でＣＤ用ピックアップ３で読取られ、ＣＤ用信号処理部８に送られる。ＣＤ用信号処理部８において上述のように処理されたデータはＭＤ用信号処理部７に送られる。ＭＤ用信号処理部７では、上述のＦＭ／ＡＭチューナー部９からのデータと同様に処理され、ＭＤ用ピックアップ６に送られ、同様の手順でディスク１（ＭＤ）上に記録される。
【００２５】
この実施例の記録装置は、ユーザ操作に供されるキーが設けられた操作入力部１９、および前述した例えば液晶ディスプレイによって構成される表示部２０を備える。操作入力部１９としては、例えば記録キー、再生キー、一時停止キー、停止キー、ＡＭＳ／サーチキー、イジェクトキー等がユーザ操作に供されるように設けられている。
【００２６】
装置に電源を供給する電源部２１に車のバッテリから電源を供給するＢＡＴＴ入力ラインと車がキーオンの状態か否かを示すＡＣＣ入力ラインとが接続されている。車のエンジンが稼働している間は、ＢＡＴＴ入力ライン２２から約１２Ｖの電圧で電源が供給されており、これによって装置内の各部が正常に稼働できるようになっている。
【００２７】
図２は、上記カーオーディオ装置におけるＣＤ内に記録されている音声データをＭＤで記録（ダビング）する処理のフローチャートを示す。最初に、ＣＤ内のＴＯＣデータを読み込んで、ＭＤへ記録するデータの総記録時間を設定し（301）、記録（ダビンク）を開始する（302)。記録が正常に終了したら（303)、システム（カーオーディオ）を停止する場合には電源をオフし（311 、313)、再生等の他の処理を行う場合には、電源を切らずにそのまま再生処理等を行う（312)。車が目的地に着くなどして、キーがオフにされるか（ACC Lo/OFF）、または記録装置の電源ボタンがオフにされた場合（304)、現在の処理が記録処理かどうかを確認する（305)。もし、記録処理でなけれは、そのまま記録装置の電源をオフにする（313)。
【００２８】
もし、記録処理中であれば、ステップ301で設定した総記録時間と既に記録した時間（既記録時間）の差を求め、これに若干の時間（２〜５秒程度）を加えた時間を記録残り時間として設定する（306）。次に、ＢＡＴＴ入力ラインからのバッテリ電圧が所定値以上であるかどうかチェックしてエンジン停止状態で記録を続けられるかどうかを判定する（307）。バッテリの電圧が低くエンジン停止状態での記録継続にバッテリが耐えられない状態であるときは、記録装置の電源をオフにして（313）終了する。バッテリ電圧が十分高く記録継続に問題がなければ、ＦＭ／ＡＭチューナー部９、Ａ／Ｄコンバータ１８、Ｄ／Ａコンバータ１５、音声信号増幅部５、スピーカ４などのダビングに関係のないブロック部への電源の供給を停止し（308）、記録に必要な部分に対しては電力の供給を継続し、そのまま記録動作を続行する（309）。
【００２９】
ステップ306で設定した記録残り時間が経過するまで記録動作を続行し（310、309）、記録残り時間が経過したら（310）、即ち記録が全て終了したら、自動的に記録装置全体の電源を切り(313）、記録処理を完了する。なお、上の説明では残りデータの記録に必要な記録残り時間を算出し、その時間の経過に応じて装置全体の電源を切るものとしたが、単に残された全データの記録が完了することに応じて全体の電源を切るようにすることもできる。
【００３０】
上の実施例では記録装置の電源ボタンがオフにされた場合にも、残りデータの記録を継続するものとして説明したが、車のキーオフによる場合だけ残りデータの記録を継続するようにし、利用者が継続記録を望まないときは、電源ボタンをオフにすることによりすべての動作を停止することができるようにしてもよい。
【００３１】
また、実施例ではカーオーディオとしたが、一般的な記録再生装置や記録専用装置であってもよく、ミニディスクシステムに限らず、磁気テープ媒体に記録する装置などにも本発明を採用することができる。
【００３２】
【発明の効果】
上述のように、本発明によれば、ユーザが継続記録をやめたければ電源ボタンをオフ操作すれば良く、そうでなければ、再生側記録媒体から読み込んだ総記録時間情報に基づいて求めた記録残り時間の間、残りのデータの記録動作を続行することができるので、ダビング中のカーオーディオを停止させる際の使い勝手を一段と向上させ得る。
【図面の簡単な説明】
【図１】本発明の一実施形態のカーオーディオのブロック図である。
【図２】ＣＤ内に記録されている音声データをＭＤで記録する処理のフローチャートである。
【符号の説明】
１  ミニディスク（ＭＤ）          ２  コンパクトディスク（ＣＤ）
３  ＣＤ用ピックアップ            ６  ＭＤ用ピックアップ
７  ＭＤ用信号処理部              ８  ＣＤ用信号処理部
１１  システムコントローラ        ２１  電源部
２２  ＢＡＴＴ入力ライン          ２３  ＡＣＣ入力ライン
３０  記録再生装置
【図１】
0003885902.tif 000002
【図２】
0003885902.tif 000003